(57)【要約】本発明は、光源（２０）を具備し、かつ、回路の第１地点（１１）および第２地点（１２）からの電気入力信号に応答して光通信信号を送信させるべく前記光源（２０）を操作するように取り決められた送信器回路に関する。前記送信器回路は、それぞれ、回路の前記第１地点（１１）および前記第２地点（１２）から延長する第１回路分岐（２１）および第２回路分岐（２２）を具備する。前記光源（２０）は、前記回路分岐（２１，２２）に接続される。前記回路分岐（２１，２２）上に位置づけられる構成部品は、送信器回路が対称性を備えて形成されるように選択され、該対称性は、正常な動作条件の下で、平衡駆動電圧が、前記回路分岐（２１，２２）上における光源（２０）の接続地点（１３，１５）間における事例であるような対称性であり、かつ、光源（２０）を駆動する変調電流が前記接続地点（１３，１５）間の電圧差にのみ依存するような対称性である。
2004511126.tif 000002
【特許請求の範囲】
【請求項１】
光源（２０）を具備し、かつ、回路の第１地点（１１）および第２地点（１２）からの電気入力信号に応答して光通信信号を送信させるべく前記光源（２０）を操作するように取り決められた送信器回路であって、
回路の前記第１地点と前記第２地点との間に、平衡電気入力信号が存在するように意図され、
前記送信器回路は、前記第１地点（１１）から、第３地点（１３）を経て、少なくとも第４地点（１４）まで延長する第１回路分岐（２１）を具備し、
前記送信器回路は、前記第２地点（１２）から、第５地点（１５）を経て、少なくとも第６地点（１６）まで延長する第２回路分岐（２２）を具備し、
前記光源（２０）は、前記第３地点（１３）と前記第５地点（１５）との間に接続され、
前記第１回路分岐（２１）および前記第２回路分岐（２２）上に位置づけられる構成部品は、送信器回路が対称性を備えて形成されるように選択され、該対称性は、正常な動作条件の下で、平衡駆動電圧が前記第３地点（１３）と前記第５地点（１５）との間における事例であるような対称性であり、該平衡駆動電圧は、前記第１地点（１１）と前記第２地点（１２）との間の電圧差にのみ依存し、
前記光源（２０）を通る変調電流もまた、前記電圧差にのみ依存することを特徴とする送信器回路。
【請求項２】
前記第１回路分岐（２１）および前記第２回路分岐（２２）は、前記第１回路分岐（２１）上に配置される構成部品の電気的特性が、前記第２回路分岐（２２）上に配置される構成部品の同じ電気的特性に一致するように、鏡対称性を備えて形成されることを特徴とする請求項１に記載の送信器回路。
【請求項３】
第１定電圧（ＶＡ）が前記第４地点（１４）における事例であり、かつ、第２定電圧（ＶＢ）が前記第６地点（１６）における事例であるように取り決められることを特徴とする請求項１または請求項２に記載の送信器回路。
【請求項４】
前記第１定電圧（ＶＡ）および前記第２定電圧（ＶＢ）のうち少なくとも１つが調整可能であるように取り決められることを特徴とする請求項３に記載の送信器回路。
【請求項５】
前記第１回路分岐（２１）上において前記第１地点（１１）と前記第３地点（１３）との間に配置された第１キャパシタ（Ｃ１）と、
前記第２回路分岐（２２）上において前記第２地点（１２）と前記第５地点（１５）との間に配置された第２キャパシタ（Ｃ２）と
を具備し、
前記第１キャパシタ（Ｃ１）および前記第２キャパシタ（Ｃ２）は、本質的に同じ値を有することを特徴とする請求項１から請求項４のいずれかに記載の送信器回路。
【請求項６】
前記第１回路分岐（２１）上において前記第１地点（１１）と前記第３地点（１３）との間に配置された第１抵抗（ＲＭ１）と、
前記第２回路分岐（２２）上において前記第２地点（１２）と前記第５地点（１５）との間に配置された第２抵抗（ＲＭ２）と
を具備し、
前記第１抵抗（ＲＭ１）および前記第２抵抗（ＲＭ２）は、本質的に同じ値を有することを特徴とする請求項１から請求項５のいずれかに記載の送信器回路。
【請求項７】
前記第１回路分岐（２１）上において前記第３地点（１３）と第４地点（１４）との間に配置された第３抵抗（ＲＢ１）と、
前記第２回路分岐（２２）上において前記第５（１５）と前記第６地点（１６）との間に配置された第４抵抗（ＲＢ２）と
を具備し、
前記第３抵抗（ＲＢ１）および前記第４抵抗（ＲＢ２）は、本質的に同じ値を有することを特徴とする請求項１から請求項６のいずれかに記載の送信器回路。
【請求項８】
前記第１回路分岐（２１）および前記第２回路分岐（２２）上に配置される全ての構成部品は受動部品であることを特徴とする請求項１から請求項７のいずれかに記載の送信器回路。
【請求項９】
前記第１回路分岐（２１）上の地点（１７）と、前記第２回路分岐（２２）上の対応地点（１８）との間で延長する第３回路分岐（２３）を具備し、
前記第３回路分岐（２３）は、終端抵抗として機能するように取り決められる第５抵抗（ＲＴ）を少なくとも具備することを特徴とする請求項１から請求項８のいずれかに記載の送信器回路。
【請求項１０】
前記第３回路分岐（２３）は、本質的に同じ値を有しかつ終端抵抗としてともに機能するように取り決められる第５抵抗（ＲＴ１）および第６抵抗（ＲＴ２）を具備し、
前記送信器回路は、第３定電圧（ＶＣ）が、前記第３回路分岐（２３）上の前記第５抵抗（ＲＴ１）と第６抵抗（ＲＴ２）との間における事例であるように取り決められることを特徴とする請求項９に記載の送信器回路。
【請求項１１】
前記第１回路分岐（２１）および前記第２回路分岐（２２）に接続され、かつ、望ましくない電圧パルスから光源（２０）を保護するように取り決められた過渡現象保護部（２７）を具備することを特徴とする請求項１から請求項１０のいずれかに記載の送信器回路。
【請求項１２】
前記第１回路分岐（２１）上において前記第１地点（１１）と前記第１キャパシタ（Ｃ１）との間に配置された第３キャパシタ（Ｃ３）と、
前記第３キャパシタ（Ｃ３）と本質的に同じ値を有し、かつ、前記第２回路分岐（２２）上において前記第２地点（１２）と前記第２キャパシタ（Ｃ２）との間に配置された第４キャパシタ（Ｃ４）と
を具備し、
前記第３回路分岐（２３）は、前記第１キャパシタ（Ｃ１）と前記第３キャパシタ（Ｃ３）との間に位置づけられた前記第１回路分岐（２１）上の地点（１７）と、前記第２キャパシタ（Ｃ２）と前記第４キャパシタ（Ｃ４）との間に位置づけられた前記第２回路分岐（２２）上の地点（１８）との間で延長することを特徴とする請求項５、請求項１０、および、請求項１１のいずれかに記載の送信器回路。
【請求項１３】
平衡電気信号を伝導するように取り決められた電気伝導体（３１，３２）からなる組（３０）と、
前記信号を光形式で伝導するように取り決められた光伝導体（３５）と、
請求項１から請求項１２のいずれかに記載の送信器回路と、
受信部と
を少なくとも具備し、
前記電気伝導体（３１，３２）の組は、前記第１地点（１１）および前記第２地点（１２）に接続され、前記光伝導体（３５）は、前記光源（２０）からの光を受信かつ伝導するように取り決められ、前記受信部は、前記光伝導体（３５）からの光を受信するように取り決められることを特徴とする通信システム。
【発明の詳細な説明】
【０００１】
【発明の属する技術分野】
本発明は、光源を具備し、かつ、回路の第１地点および第２地点からの電気入力信号に応答して光通信信号を送信させるべく前記光源を操作するように取り決められた送信器回路に関し、回路の前記第１地点と前記第２地点との間に、平衡（ｂａｌａｎｃｅｄ）電気入力信号が存在するように意図される。さらに、本発明は、このような送信器回路を具備する通信システムに関する。
【０００２】
【従来の技術】
前述した種類の様々な送信器回路が公知である。このような送信器回路は、電気信号に応答して光信号を送信するために、電気通信システムおよびデータ通信システム内でしばしば用いられる。光信号は、通常は、１つ以上の光ファイバー内で送信される。電気入力信号は、通常は、平衡信号（ｂａｌａｎｃｅｄ ｓｉｇｎａｌ）として、１組の電気伝導体上に（例えば、ツイストペア（ｔｗｉｓｔｅｄ ｐａｉｒ）上に）存在する。このような１組の電気伝導体は、或る一定の特性インピーダンス（例えば、１００Ω）を有する。望ましくない反射（ｒｅｆｌｅｃｔｉｏｎｓ）を回避するために、このような１組の電気伝導体は、その終点において、特性インピーダンスに一致する負荷に接続されるべきである。
【０００３】
平衡信号とは、１組の電気伝導体上に存在する信号が、２つの伝導体上における対応地点上の電圧が同じ大きさであるが基準電位（ｒｅｆｅｒｅｎｃｅ ｐｏｔｅｎｔｉａｌ）に対して反対方向の極性を有するような信号であることを意味することに留意されたい。この基準電位は、通常は、アース電位である。非平衡信号（ｕｎｂａｌａｎｃｅｄ ｓｉｇｎａｌ）（または、“片端接地（ｓｉｎｇｌｅ−ｅｎｄｅｄ）”）とは、信号（すなわち、電圧変動）が一方の伝導体上にのみ存在する一方で、他方の伝導体（すなわち、基準電位）が一定電位（通常は、アース電位）に存在することを意味する。
【０００４】
平衡信号を伴う１組の電気伝導体上において、雑音または他の現象に起因して、２つの伝導体上で重畳される（ｓｕｐｅｒｐｏｓｅｄ）信号（いわゆる、コモンモード信号（ｃｏｍｍｏｎ ｍｏｄｅ ｓｉｇｎａｌ））が発生し、該信号は時間とともに変動する。この信号はしばしば望ましくないものであるので、抑制されるべきである。このことは、しばしば、例えば、変圧器と、平衡不平衡変成器（ｂａｌｕｎ）（平衡不平衡変成器とは、平衡信号を非平衡信号に変換する装置である）と、差動増幅器とによって行われる。
【０００５】
さらに、平衡電気信号が光信号を変換することができる場合に、光信号を送信する光源を正確に操作するために、このような望ましくない重畳信号（ｓｕｐｅｒｐｏｓｅｄ ｓｉｇｎａｌ）を抑制する必要がある。従来技術によれば、このことは、通常は、最初に平衡電気信号を非平衡電気信号に変換することにより行われている。
【０００６】
図１は、従来技術の例である。平衡電気入力信号は、ここでは、ツイストペア３０上に存在している。平衡信号は、平衡不平衡変成器４１と変圧器４２とによって、非平衡信号に変換する。この回路は、ツイストペア３０の特性インピーダンスに適合する終端抵抗（ｔｅｒｍｉｎａｔｉｏｎ ｒｅｓｉｓｔａｎｃｅ）４３をさらに具備する。その後に、１つ以上の回路４４が続き、該回路４４は、適切なバイアス電流（ｂｉａｓ−ｃｕｒｒｅｎｔ）と変調電流（ｍｏｄｕｌａｔｉｏｎ ｃｕｒｒｅｎｔ）とを生成し、この場合に、合計電流が光源２０を駆動させる。
【０００７】
欧州特許出願公開第０，５４２，４８０号公報（ＥＰ−Ａ−０ ５４２ ４８０）もまた、送信器回路の例を示している。この送信器回路は、発光ダイオードを駆動させるために２つの微分器（ｄｉｆｆｅｒｅｎｔｉａｔｏｒ）および増幅器を具備する。
【０００８】
従来的な公知の解決法は、比較的複雑かつ高価である。その理由は、これらが、しばしば、能動部品（ａｃｔｉｖｅ ｃｏｍｐｏｎｅｎｔｓ）または変圧器のような比較的複雑かつ高価な構成部品を具備するためである。さらに、公知の送信器回路は、しばしば、比較的高い電流消費量を有する。
【０００９】
能動部品とは、利得またはスイッチングを生じさせる構成部品（例えば、トランジスタ、集積回路、および、ダイオード）を意味することに留意されたい。
【００１０】
【発明が解決しようとする課題】
本発明の目的は、通常的な公知の送信器回路よりも簡単な送信器回路を達成することである。さらなる目的は、送信器回路が高い機能的信頼性を有し、かつ、安価で生産され得ることである。
【００１１】
【課題を解決するための手段】
本発明によれば、これらの目的は、前述の第１パラグラフにおいて説明した種類の、かつ、前記第１地点から、第３地点を経て、少なくとも第４地点まで延長する第１回路分岐を具備する送信器回路によって達成され、前記送信器回路は、前記第２地点から、第５地点を経て、少なくとも第６地点まで延長する第２回路分岐を具備し、前記光源は、前記第３地点と前記第５地点との間に接続され、前記第１回路分岐および前記第２回路分岐上に位置づけられる構成部品は、送信器回路が対称性を備えて形成されるように選択され、該対称性は、正常な動作条件の下で、平衡駆動電圧が前記第３地点と前記第５地点との間における事例であるような対称性であり、該平衡駆動電圧は、前記第１地点と前記第２地点との間の電圧差にのみ依存し、前記光源を通る変調電流もまた、前記電圧差にのみ依存する。
【００１２】
本発明によって、平衡信号を非平衡信号に変換する必要がないという利点が達成される。これにより、本発明による回路を、簡単かつ安価な構成部品のよって実現することができる。
【００１３】
“正常な動作条件”とは、送信器回路が、該送信器回路にとって正常な電圧および電流の範囲内で作動する旨を意味するが、この場合には、前述したように、望ましくない重畳電圧もまた平衡電気信号上に存在し得ることに留意されたい。しかしながら、例えば、極端な電圧ピークについては、異常な動作条件を構成するものと考えることができる。
【００１４】
本発明の好ましい実施形態によれば、前記第１回路分岐および前記第２回路分岐は、前記第１回路分岐上に配置される構成部品の電気的特性が、前記第２回路分岐上に配置される構成部品の同じ電気的特性に一致するように、鏡対称性を備えて形成される。
【００１５】
この鏡対称性については、第１回路分岐および第２回路分岐が、正に同じ値を備えた構成部品を、それぞれの回路分岐における対応位置上に具備する場合に、達成されることが好ましい。しかしながら、これらの構成部品の電気的特性が互いに一致するという特徴は、２つの回路分岐の電気的特性が同じである限りは、該特徴が２つの回路分岐上の構成部品自体にある必要がないことを意味する。例えば、一方の回路分岐内の２つのノード間に配置される１つまたは複数の構成部品における事例である電気的特性は、他方の回路分岐内の対応した２つのノード間に配置される１つまたは複数の構成部品における事例である同じ電気的特性に一致すべきである。
【００１６】
前記送信器回路がこの対称性によって形成されるので、簡単な構成部品によって、光源までずっと平衡信号を維持することが可能である。さらに、前述した回路の第１地点と第２地点との間の電圧差によってのみ光源が変調されることが達成される。光源を通る電流は、回路の前記第１地点および前記第２地点上に存在する考えられ得るコモンモード信号とは無関係である。
【００１７】
本発明のさらなる実施形態によれば、前記送信器回路は、第１定電圧が前記第４地点における事例であり、かつ、第２定電圧が前記第６地点における事例であるように取り決められる。これにより、適切なバイアス電流を、簡単な方法で得ることができる。
【００１８】
本発明のさらなる実施形態によれば、前記送信器回路は、前記第１定電圧および前記第２定電圧のうち少なくとも１つが調整可能であるように取り決められる。これにより、変調電流に影響を与えずに、バイアス電流を簡単に調整することができる。
【００１９】
本発明の他の実施形態によれば、前記送信器回路は、前記第１回路分岐上において前記第１地点と前記第３地点との間に配置された第１キャパシタと、前記第２回路分岐上において前記第２地点と前記第５地点との間に配置された第２キャパシタとを具備し、前記第１キャパシタおよび前記第２キャパシタは、本質的に同じ値を有する。これらのキャパシタによって、前記第４地点と第６地点との間の電圧差により生じる直流電流が光源を通過して伝導されることが、簡単な方法で防止される。これにより、光源を通るバイアス電流を、簡単な方法で決定することができる。さらに、直流電流が光源を通過して伝導されないので、エネルギーが節約される。
【００２０】
本発明のさらなる実施形態によれば、前記送信器回路は、前記第１回路分岐上において前記第１地点と前記第３地点との間に配置された第１抵抗と、前記第２回路分岐上において前記第２地点と前記第５地点との間に配置された第２抵抗とを具備し、前記第１抵抗および前記第２抵抗は、本質的に同じ値を有する。これらの抵抗によって、平衡入力信号の電圧と光源を通る変調電流との関係を、光源の適切な変調が達成されるように調整することができる。
【００２１】
本発明のさらに他の実施形態によれば、前記送信器回路は、前記第１回路分岐上において前記第３地点と第４地点との間に配置された第３抵抗と、前記第２回路分岐上において前記第５と前記第６地点との間に配置された第４抵抗とを具備し、前記第３抵抗および前記第４抵抗は、本質的に同じ値を有する。これらの抵抗によって、光源を通る適切なバイアス電流が得られるように、光源全体にわたる電圧が調整される。
【００２２】
本発明のさらなる実施形態によれば、前記第１回路分岐および前記第２回路分岐上に配置される全ての構成部品は受動部品である。これにより、本発明の利点が、簡単な方法で、かつ、安価な構成部品によって達成される。前記送信器回路においては、いかなる変圧器も磁気部品も用いられないことが好ましい。前述したように、平衡不平衡変成器もまた用いられない。
【００２３】
本発明の他の実施形態によれば、前記送信器回路は、前記第１回路分岐上の地点と、前記第２回路分岐上の対応地点との間で延長する第３回路分岐を具備し、前記第３回路分岐は、終端抵抗として機能するように取り決められる第５抵抗を少なくとも具備する。これにより、前記回路のインピーダンスを、１組の伝導体の特性インピーダンスに調整することができ、該伝導体の組は、平衡電気信号を前記第１地点および前記第２地点に伝導する。
【００２４】
本発明のさらなる実施形態によれば、前記第３回路分岐は、本質的に同じ値を有しかつ終端抵抗としてともに機能するように取り決められる第５抵抗および第６抵抗を具備し、前記送信器回路は、第３定電圧が、前記第３回路分岐上の前記第５抵抗と第６抵抗との間における事例であるように取り決められる。これにより、いわゆるコモンモードの終了が達成され、このことは、回路の第１地点および第２地点の両方において重畳される考えられ得る信号が終端処理されることを意味し、これにより、反射および他の外乱現象の発生が低減される。
【００２５】
本発明の他の実施形態によれば、前記送信器回路は、前記第１回路分岐および前記第２回路分岐に接続され、かつ、望ましくない電圧パルスから光源を保護するように取り決められた過渡現象保護部を具備する。これにより、前記回路は、例えば、静電放電から保護される。
【００２６】
本発明のさらなる実施形態によれば、前記送信器回路は、前記第１回路分岐上において前記第１地点と前記第１キャパシタとの間に配置された第３キャパシタと、前記第３キャパシタと本質的に同じ値を有し、かつ、前記第２回路分岐上において前記第２地点と前記第２キャパシタとの間に配置された第４キャパシタとを具備し、前記第３回路分岐は、前記第１キャパシタと前記第３キャパシタとの間に位置づけられた前記第１回路分岐上の地点と、前記第２キャパシタと前記第４キャパシタとの間に位置づけられた前記第２回路分岐上の地点との間で延長する。これらの第３キャパシタおよび第４キャパシタによって、入力信号がＡＣカップリングされる。前述した第３定電圧、および、第５抵抗および第６抵抗とともに、このことは、過渡現象保護部が良好に作動する間隔の範囲内に収まる結果となるように、入力信号を調整することができることを意味する。
【００２７】
前述したように、本発明のさらなる目的は、好都合な通信システムを達成することである。この目的は、平衡電気信号を伝導するように取り決められた電気伝導体からなる組と、前記信号を光形式で伝導するように取り決められた光伝導体と、請求項１から請求項１２のいずれかに記載の送信器回路と、受信部とを少なくとも具備し、前記電気伝導体の組は、前記第１地点および前記第２地点に接続され、前記光伝導体は、前記光源からの光を受信かつ伝導するように取り決められ、前記受信部は、前記光伝導体からの光を受信するように取り決められる通信システムによって達成される。もちろん、前記通信システムは、該通信システム内で両方向通信を可能にするように取り決められた他の送信器回路と他の受信部とをさらに具備することもできる。
【００２８】
【発明の実施の形態】
図２は、本発明による送信器回路および通信システムを示す。示される例において、通信システムは、伝導体３１，３２からなるツイストペア３０を具備する。これらの伝導体は、送信器回路の第１地点１１および第２地点１２に接続される。ツイストペア３０以外の他の種類の伝導体も可能であることに留意されたい。例えば、回路カード上において、リボンテーブル、または、単なる２つの伝導体が考えられる。平衡電気入力信号は、第１地点１１および第２地点１２に伝導される。送信器回路は、この信号を、光源２０から送信される光信号に変換する。通信システムは、受信部３７と、光源２０からの光を受信部３７へ伝導する光伝導体３５とを具備する。
【００２９】
前記送信器回路は、第１回路分岐２１と第２回路分岐２２とを有する。第１回路分岐２１は、第１地点１１から、第３地点１３を経て、第４地点１４まで延長する。第２回路分岐２２は、第２地点１２から、第５地点１５を経て、第６地点１６まで延長する。光源は、第３地点１３と第５地点１５との間に接続される。第１回路分岐２１は、第１地点１１と第３地点１３との間に互いに直列に接続される第１キャパシタＣ１と第１抵抗ＲＭ１とを具備する。これに対応する様式で、第２回路分岐２２は、第２地点１２と第５地点１５との間に直列に接続される第２キャパシタＣ２と第２抵抗ＲＭ２とを具備する。
【００３０】
さらに、第１回路分岐２１は、第３地点１３と第４地点１４との間に配置される第３抵抗ＲＢ１を具備する。第４地点１４は、第１定電圧ＶＡにおいて存在するように配置される。示される例において、この第１電流ＶＡはアース電位である。さらに、第２回路分岐２２は、第５地点１５と第６地点１６との間に配置される第４抵抗ＲＢ２を具備する。送信器回路は、第２定電圧ＶＢが第６地点１６における事例であるように取り決められる。前記第１定電圧ＶＡおよび前記第２定電圧ＶＢのうち１つは、適切に調整可能である。例えば、第２定電圧ＶＢが調整可能である。これにより、変調電流に影響を与えずに、光源２０を通るバイアス電圧を簡単に調整することができる。
【００３１】
前記送信器回路は、第３回路分岐２３をさらに具備する。この第３回路分岐２３は、第１回路分岐２１上の地点１７から、第２回路分岐２２上の地点１８まで延長する。第３回路分岐２３上には、終端抵抗ＲＴが配置される。この終端抵抗ＲＴを適切に選択することにより、回路のインピーダンスを、送信器回路に接続される伝導体の組３０の特性インピーダンスに適合させることができる。第１回路分岐２１および第２回路分岐２２上に位置づけられる構成部品は、送信器回路が対称性を備えて形成されるように選択される。この対称性は、平衡駆動電圧が第３地点１３と第５地点１５との間における事例であるような対称性である。平衡駆動電圧は、入力信号上に（すなわち、第１地点１１および第２地点１２上に）存在する考えられ得る重畳電圧（ｓｕｐｅｒｐｏｓｅｄ ｖｏｌｔａｇｅ）とは無関係である。こうして、光源２０は、正に、第１地点１１および第２地点１２にそれぞれ接続される２つの伝導体３１，３２間の電圧差に応答して変調される。
【００３２】
前記対称性を達成する最も簡単な方法は、第１回路分岐２１上の様々なノード間に配置される構成部品の電気的特性が、第２回路分岐２２内の対応位置に配置される構成部品の同じ電気的特性に一致することである。この目的については、第１キャパシタＣ１が第２キャパシタＣ２と同じ値を有し、第１抵抗ＲＭ１が第２抵抗ＲＭ２と同じ値を有し、かつ、第３抵抗ＲＢ１が第４抵抗ＲＢ２と同じ値を有していれば、簡単に達成することができる。
【００３３】
本発明による利点は、回路分岐２１上において第１地点１１と第４地点１４との間に、および、回路分岐２２上において第２地点１２と第６地点１６との間に、それぞれ配置される全ての構成部品が、受動部品（ｐａｓｓｉｖｅ ｃｏｍｐｏｎｅｎｔｓ）であってもよいことである。示される場合において、これらの構成部品は、キャパシタと抵抗とからのみ構成される。これにより、変圧器またはより高価な磁気部品をさらに使用することが回避される。
【００３４】
光源２０を通る適切なバイアス電流は、第２定電圧ＶＢと、第３抵抗ＲＢ１と、第４抵抗ＲＢ２とを選択することにより選択される。平衡入力信号の電圧と、光源２０を通る変調電流との間の倍率は、第１抵抗ＲＭ１と第２抵抗ＲＭ２とを適切に選択することにより選択される。第１キャパシタＣ１および第２キャパシタＣ２は、重畳電圧が直流電流の形で光源２０に到達することを防止する。
【００３５】
光源２０を通る電流が、伝導体の組３１，３２上の考えられ得る重畳電圧とは無関係であることを示すために、図３が参照される。図３は、図２による送信器回路と等価的な送信器回路を示す。光源２０として、例えば、発光ダイオードまたはレーザーダイオードを用いることができる。このような光源２０についての簡単なモデルは、抵抗ＲＳと直列な独立型電源ＶＳである。ＺＭ１は、第１抵抗ＲＭ１と直列な第１キャパシタＣ１に相当する。これに対応する様式で、ＺＭ２は、第２抵抗ＲＭ２と直列な第２キャパシタＣ２に相当する。さらに、図３においては、電圧Ｖ１，Ｖ２，Ｕ１，Ｕ２の他に、電流Ｉ１，Ｉ２，ＩＳが記されている。
【００３６】
図３を参照して、以下の式を形成することができる。
【数１】
2004511126.tif 000003
【数２】
2004511126.tif 000004
【数３】
2004511126.tif 000005
【数４】
2004511126.tif 000006
【数５】
2004511126.tif 000007
【００３７】
前記送信器回路が対称的に形成されるので、以下の同等性がさらに満たされる。
【数６】
2004511126.tif 000008
【数７】
2004511126.tif 000009
【００３８】
（１）〜（７）によって、以下の式を得ることができる。
【数８】
2004511126.tif 000010
【００３９】
（８）から、光源を通る電流がＶ２とＶ１との差にのみ依存することが明らかである。例えば、Ｖ２およびＶ１の両方が急に（例えば、１００Ｖだけ）増加しても、光源を通る電流は影響を受けない。
【００４０】
バイアス電流を決定するために、Ｖ２およびＶ１を等しくなるように（Ｖ２＝Ｖ１）設定することができる。これにより、以下の式が得られる。
【数９】
2004511126.tif 000011
【００４１】
ＺＭが図２のようにキャパシタと直列な抵抗であると仮定すれば、ＺＭはゼロＨｚの周波数において無限大となる。これにより、ＺＭが無限大となる場合に、以下の式が得られる。
【数１０】
2004511126.tif 000012
【００４２】
これにより、式（１０）は、光源を通る直流電流（バイアス電流）を示す。変調電流は、合計電流（８）からバイアス電流（９）を引いたものである。したがって、変調電流は、
【数１１】
2004511126.tif 000013
である。
【００４３】
数値的な例を取り上げるために、例えば、光源が、ＶＳ＝１．６Ｖ、ＲＳ＝３０Ωのレーザーであると仮定することができる。さらに、例えば、ＶＢ＝＋５Ｖと仮定することができる。例えば、８ｍＡのバイアス電流が望ましい場合には、式（１０）によって以下の値が得られる。
ＲＢ＝１９７．５Ω
【００４４】
Ｖ１とＶ２との差１Ｖにおいて変調電流が１ｍＡであるべきと仮定し、かつ、変調周波数においてキャパシタを短絡されたものと見なすことができると仮定すれば、ＲＭが、式（１１）によって以下のように得られる。
ＲＭ＝４５０．８Ω
【００４５】
合計インピーダンスが伝導体の組の平衡入力インピーダンスと符合するようなＲＴをまだ決定していない。ＲＴがなければ、より高い周波数（ＺＭ＝ＲＭ）において、入力インピーダンスが以下の通りであることが事例である。
【数１２】
2004511126.tif 000014
【００４６】
得られた数値が代入されれば、以下の値が得られる。
ＲＩＮ＝９２９．６Ω
【００４７】
例えば、１００Ωの合計入力インピーダンスが望ましい場合には、ＲＴは１１２．１Ωの値となる。
【００４８】
前述した例から、本発明が意図された通りに作動すること、および、前記回路を簡単な方法で特定の寸法に合わせることできることが明らかである。
【００４９】
図４は、本発明の他の実施形態である。図４による送信器回路は、第３回路分岐２３が第５抵抗ＲＴ１と第６抵抗ＲＴ２とを具備するという点で、図２による送信器回路とは異なる。これらの抵抗は、本質的に同じ値を有する。さらに、第３回路分岐２３は、前記第５抵抗ＲＴ１と前記第６抵抗ＲＴ２との間における第３定電圧ＶＣを備えて配置される。さらに、送信器回路は、望ましくない電圧パルスから光源２０を保護するように取り決められた過渡現象保護部（ｔｒａｎｓｉｅｎｔ ｐｒｏｔｅｃｔｉｏｎ）２７を具備する。さらに、送信器回路の第１回路分岐２１は、第３キャパシタＣ３を具備する。第２回路分岐２２は、第４キャパシタＣ４を具備する。適切な対称性を達成するために、第３キャパシタＣ３は、第４キャパシタＣ４と同じ値を適切に有する。
【００５０】
過渡現象保護部２７については、当業者にとって公知の様々な方法で実現することができる。例えば、電圧が或る一定の間隔の範囲外という結果になる場合に電圧を制限するために、ダイオードまたはツェナーダイオードを用いることができる。第３キャパシタＣ３および第４キャパシタＣ４によって、信号は、過渡現象保護部２７に到達する前に、ＡＣカップリング（ＡＣ−ｃｏｕｐｌｅ）される。第３定電圧ＶＣと、第５抵抗ＲＴ１および第６抵抗ＲＴ２とによって、入力信号が、過渡現象保護部２７に対して調整される第３定電圧ＶＣ前後であることが保証される。これにより、異常電圧が発生した場合にのみ過渡現象保護部２７が電圧を制限することが達成される。第３定電圧ＶＣと、第５抵抗ＲＴ１および第６抵抗ＲＴ２とによって、反射および他の問題が低減される。その理由は、いわゆるコモンモードの終了が達成されるためであり、このことは、２つの伝導体に共通の信号が終端処理されることを意味する。
【００５１】
図５は、本発明の原理を示す。図５において、ハッチング線によって示されるように、送信器回路は、第１回路分岐２１と第２回路分岐２２との間にさらなる交差接続（ｃｒｏｓｓ ｃｏｎｎｅｃｔｉｏｎｓ）を具備することができる。送信器回路が能動部品を具備することさえも可能である。しかしながら、受動部品を用いることが好ましい。送信器回路の正常な動作のために重要な構成部品に関しては、考えられ得る交差接続の中央を通過する対称線３６に沿って送信器回路が鏡対称（ｍｉｒｒｏｒ−ｓｙｍｍｅｔｒｉｃａｌ）に形成されるように、これらの構成部品が配置されるという事例であることが好ましい。これにより、前述した本発明の利点が、簡単な方法で達成される。過渡現象保護部のような、正常な動作に何の影響も与えない或る特定の構成部品については、必ずしも鏡対称に配置する必要はない。送信器回路がさらなる構成部品を具備できることに留意されたい。例えば、送信器回路については、高周波信号が光源に到達することを防止するために、低域フィルターを備えて配置することができる。
【００５２】
本発明は、既に前述したような幾つかの利点を有する。したがって、入力信号を非平衡信号に変換する必要がない。このことは、地点１３，１５における電圧が反対方向の位相となることを意味し、このことは、他の構成部品へ到達する外乱（ｄｉｓｔｕｒｂａｎｃｅ）が小さくなることを意味する。その理由は、地点１３，１５からのこのような外乱が、互いに打ち消し合うためである。
【００５３】
本発明による送信器回路は、例えばコンピュータからの電気信号を、光ファイバーを経て送信される光信号に変換するために自宅または職場に配置される装置の一部を、適切に形成することができる。このような装置については、部屋の壁に、または、該壁と連絡して好都合に配置することができる。本発明による送信器回路は、光信号を１つ以上の光ファイバーへ送信する中心部の装置の一部を、これらの光信号を自宅または他の場所へ転送するために、さらに形成することができる。
【００５４】
本発明は、示された実施形態に制限されるものではなく、冒頭の請求項の範囲内において変更され得るものである。
【図面の簡単な説明】
【図１】従来技術による送信器回路を示す図である。
【図２】本発明の実施形態による送信器回路および概略的な通信システムを示す図である。
【図３】図２による送信器回路と等価的な送信器回路を示す図である。
【図４】本発明の他の実施形態による送信器回路を示す図である。
【図５】本発明の好ましい実施形態による原理を示す図である。
【符号の説明】
２１〜２３　回路分岐
２７　過渡現象保護部
３０　ツイストペア
３１，３２　伝導体
３５　光伝導体
３７　受信部
【国際公開パンフレット】
2004511126.tif 000015
2004511126.tif 000016
2004511126.tif 000017
2004511126.tif 000018
2004511126.tif 000019
2004511126.tif 000020
2004511126.tif 000021
2004511126.tif 000022
2004511126.tif 000023
2004511126.tif 000024
2004511126.tif 000025
2004511126.tif 000026
2004511126.tif 000027
2004511126.tif 000028
2004511126.tif 000029
2004511126.tif 000030
2004511126.tif 000031
2004511126.tif 000032
2004511126.tif 000033
2004511126.tif 000034
2004511126.tif 000035
2004511126.tif 000036
【国際調査報告】
2004511126.tif 000037
2004511126.tif 000038